(57)【特許請求の範囲】
【請求項１】
入力された文字データとそれに関連する画像データを通信回線を介して送信するサーバと、前記サーバから送信されたデータを前記通信回線を介して受信して表示する情報表示装置とを備えた情報表示システムであって、
前記情報表示装置は、サーバから送信された表示スケジュールのデータと、共通のコードが付与された文字データと前記文字データに関連する画像データとを、通信回線を介して受信する受信部と、
前記受信部で受信された表示スケジュールのデータと、共通のコードが付与された文字データと画像データとを蓄積する蓄積部と、
前記共通のコードが付与された前記文字データと前記画像データとを一画面に表示する表示部と、
入力された指示に従って、前記蓄積部から表示すべきデータを読み出して前記表示部に出力する表示制御部と、
前記蓄積部に蓄積している表示スケジュールのデータを読み出して、表示切り替え時刻になった場合には、前記表示制御部に対して、表示すべきデータを表示する指示を出力する表示スケジュール解析部とを備え、
前記サーバが、入力された画像データに、関連する文字データに基づいて検索コードを付与して記憶しておき、情報表示装置から特定の文字列が含まれる画像データ送信要求を受信すると、前記画像データ送信要求に応じて、前記文字列が含まれる検索コードが付与された画像データを読み出して前記情報表示装置に送信するサーバであり、
前記情報表示装置が、表示スケジュール解析部で、蓄積部に蓄積された表示すべき文字データに関連した文字列が含まれる画像データ送信要求を前記サーバに送信し、前記サーバから前記画像データ送信要求に応じて送信された画像データを受信部で受信して、表示制御部で、前記文字データと受信した画像データとを表示部に一画面に表示させ、前記表示スケジュール解析部で、前記文字データ又は前記画像データが一定時間更新されないと判断した場合には、前記表示制御部に警告表示として監視記号を表示させる情報表示装置であることを特徴とする情報表示システム。
【発明の詳細な説明】
【０００１】
【発明の属する技術分野】
本発明は、証券情報等を表示する情報表示装置及び情報表示システムに係り、特にニュースとそれに関連する画像とを一画面上に表示して利便性を向上させることができる情報表示装置及び情報表示システムに関する。
【０００２】
【従来の技術】
情報表示装置は、証券会社や金融会社の店内に設置され、来店客に各種の金融情報を提供するものである。
【０００３】
従来の情報表示システムについて図１３を使って説明する。図１３は、従来の情報表示システムの概略システムブロック図である。
図１３に示すように、従来の情報表示システムは、データを入力する入力装置５１と、入力されたデータを配信するサーバ５２と、サーバ５２からデータを受信して表示する情報表示装置５３と、外部回線から証券情報等を受信してサーバ５２に出力する外部端末５４とから構成されている。
【０００４】
そして、上記従来の情報表示システムにおいては、サーバ５２が、外部端末５４を介して入力された証券情報等を蓄積しておき、データが更新されたり、情報表示装置５３からの要求があった場合に、蓄積しているデータを読み出して情報表示装置５３に配信するようになっていた。
【０００５】
また、入力装置５１が動画、絵、文字、音声等のデータを取り込んで作成した表示画面データや表示スケジュールを、サーバ５２が受信して蓄積しておき、予め設定された表示スケジュールに従って証券情報や各種表示画面を情報表示装置５３に配信して、情報表示装置５３において表示するものもあった。
【０００６】
例えば、入力装置５１に外部から文字のニュースデータを入力し、入力装置５１が文字のニュースデータに基づいて表示画面データを作成してサーバ５２に送信し、サーバ５２が情報表示装置５３に表示画面データを配信して、情報表示装置５３が文字のニュース画面を表示するようになっていた。
【０００７】
尚、情報表示システムに関連した従来技術としては、平成１２年３月３１日公開の特開２０００−９００３５号「パーソナルコンピュータにおける画面操作装置」（出願人：松下電器産業株式会社、発明者：加峰広茂他）がある。
この従来技術は、要求された情報を処理する中央処理装置と、ウインドウ、文字、画像などのカラーデータを表示する表示装置と、入力装置と、二次記憶装置と、ＨＴＭＬデータを読み込むＨＴＭＬデータ読み込み部と、その中から画像データを取得する画像データ取得部と、画像サイズ等の情報を取得する画像情報取得部と、画像一覧画面のレイアウトを計算するレイアウト解析部等により画像一覧画面を使った簡単な画面操作を実現し、ユーザの見たいページ内の場所を簡単に表示させることができるものである。
【０００８】
【発明が解決しようとする課題】
しかしながら、従来の情報表示装置及び情報表示システムでは、文字だけのニュースしか表示できないため、表示のインパクトが弱く、一見して内容を理解するのが困難であり、また、堅いイメージになってしまうという問題点があった。
【０００９】
本発明は上記実情に鑑みて為されたもので、文字のニュースと共に関連する画像を表示して見る人に強いインパクトを与え、ニュース内容を容易に把握することができる情報表示装置及び情報表示システムを提供することを目的とする。
【００１２】
【課題を解決するための手段】
上記従来例の問題点を解決するための本発明は、入力された文字データとそれに関連する画像データを通信回線を介して送信するサーバと、前記サーバから送信されたデータを前記通信回線を介して受信して表示する情報表示装置とを備えた情報表示システムであって、情報表示装置は、サーバから送信された表示スケジュールのデータと、共通のコードが付与された文字データと前記文字データに関連する画像データとを、通信回線を介して受信する受信部と、受信部で受信された表示スケジュールのデータと、共通のコードが付与された文字データと画像データとを蓄積する蓄積部と、共通のコードが付与された文字データと画像データとを一画面に表示する表示部と、入力された指示に従って、蓄積部から表示すべきデータを読み出して表示部に出力する表示制御部と、蓄積部に蓄積している表示スケジュールのデータを読み出して、表示切り替え時刻になった場合には、表示制御部に対して、表示すべきデータを表示する指示を出力する表示スケジュール解析部とを備え、サーバが、入力された画像データに、関連する文字データに基づいて検索コードを付与して記憶しておき、情報表示装置から特定の文字列が含まれる画像データ送信要求を受信すると、画像データ送信要求に応じて、文字列が含まれる検索コードが付与された画像データを読み出して情報表示装置に送信するサーバであり、情報表示装置が、表示スケジュール解析部で、蓄積部に蓄積された表示すべき文字データに関連した文字列が含まれる画像データ送信要求を前記サーバに送信し、サーバから画像データ送信要求に応じて送信された画像データを受信部で受信して、表示制御部で、文字データと受信した画像データとを表示部に一画面に表示させ、表示スケジュール解析部で、文字データ又は画像データが一定時間更新されないと判断した場合には、表示制御部に警告表示として監視記号を表示させる情報表示装置であることを特徴としており、例えば文字のニュース情報とそれに関連するニュース写真とを一画面に表示することができ、見る人に強いインパクトを与えると共にニュースの内容を把握しやすくすることができ、また、サーバの処理を軽減することができ、更に、ユーザは、目的の画像データの検索コードを知らなくても、所望の文字データに関連した画像データを取り出すことができ、また、ユーザにシステムの異常を警告して、利便性を向上させることができる。
【００１５】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１６】
まず、本発明の第１の実施の形態に係る情報表示システム及び情報表示装置について説明する。
本発明の第１の実施の形態に係る情報表示システム及び情報表示装置は、サーバが、インターネットを介してニュースデータとそれに関連するニュース画像データとを取得して、同一の識別コードを付与して記憶しておき、情報表示装置が、ニュース情報を表示する際に、同一の識別コードが付与されたニュースデータとニュース画像データとを組として予め設定された画面フォーマットに従って同一画面上に表示するようにしており、文字情報のニュースデータとそれに関連する画像情報のニュース画像データとを同一画面上に表示させることができ、見る人に強いインパクトを与え、ニュースの内容を容易に把握させることができるものである。
【００１７】
図１は、本発明の第１の実施の形態に係る情報表示システムの概略システムブロック図である。
本発明の第１の実施の形態に係る情報表示システムは、図１に示すように、画面フォーマットや表示スケジュールのデータを入力してサーバ２に送信する入力装置１と、外部回線から証券情報等を入力してサーバ２に送信する外部端末４と、入力装置１、外部端末４、インターネットからのデータを受信して蓄積し情報表示装置３に配信するサーバ２と、サーバ２から配信されたデータを受信して表示する複数の情報表示装置３とから構成されている。
【００１８】
各構成部分について具体的に説明する。
まず、入力装置１について図２を用いて説明する。図２は、入力装置１の構成ブロック図である。
図２に示すように、入力装置１は、作成された画面フォーマットや表示スケジュール、及びインターネットからのデータ取得のパラメータを入力する入力部１１と、入力されたデータを編集する編集部１２と、データを送信する送信部１３とから構成されている。
また、入力装置１は、サーバ２と同一装置内に設けても構わない。
【００１９】
そして、入力装置１は、入力部１１から入力された表示スケジュールのデータや画面フォーマットのデータを編集部１２において編集し、送信部１３からサーバ２に送信するものである。
【００２０】
次に、サーバ２について図３を用いて説明する。図３は、サーバ２の構成ブロック図である。
図３に示すように、サーバ２は、入力装置１等からのデータを受信する受信部２１と、インターネットを介して文字のニュースデータ及び画像のニュース画面データを取得する外部データ取得部２２と、ニュースデータ等を取得するために必要なパラメータを記憶するパラメータ記憶部２３と、受信部２１にて受信した証券情報のデータ（証券データ）や表示スケジュールのデータを記憶するデータ蓄積部２５と、情報表示装置３へのデータ送信を行う送信部２６と、データ蓄積部２５に対する入出力制御や配信制御を行う制御部２４とから構成されている。
【００２１】
サーバ２の各構成部分について説明する。
受信部２１は、入力装置１又は外部端末４又は情報表示装置３からのデータを受信するものであり、入力装置１からは、外部データの取得条件及びパラメータや、表示スケジュールや画面フォーマットのデータを受信し、外部端末４からは証券情報等を受信する。尚、情報表示装置３からは後述するように各種の要求を受信することもできるものである。
【００２２】
パラメータ記憶部２３は、入力装置１から送信された外部データの取得条件、パラメータ等を記憶しておくものである。記憶されているデータとしては、インターネットの情報取得先のＵＲＬのアドレスや、ニュースデータの取得本数、取得間隔、取得時間等がある。
【００２３】
また、外部データ取得部２２は、第１のシステムの特徴部分であり、インターネットに接続可能であり、パラメータ記憶部２３に記憶されている取得条件に従ってインターネットの特定のＵＲＬからニュースデータ及びそれに関連するニュース画像データを取得するものである。
【００２４】
第１のシステムでは、外部データ取得部２２は、元々ニュースデータとニュース画像データとが関連づけられた状態で閲覧可能なＵＲＬに接続し、ニュースデータとニュース画像データとが関連づけられた状態で取得できるものとする。例えば、ニュース画像データに文字情報である「キャプション」が付随しているものを検索して取得すれば、文字情報をニュースデータとして用いることができ、ニュース画像データと対応付けて一緒に表示させることが可能となるものである。
【００２５】
更に、「キャプション」は、予め「タイトル」「見出し」「コメント（本文）」等いくつかのパートに分けられており、ニュース画面を作成する際に、各パート毎に画面上の表示エリア（領域）を割り当ててニュース画面を作成するようにしている。第１のシステムにおいては、ニュース画面の作成処理は情報表示装置３において行われるものであり、後述する。
【００２６】
そして、第１のシステムの特徴として、外部データ取得部２２は、ニュースデータとそれに関連するニュース画像データを取得した場合に、ニュースデータ及びニュース画像データに同一の識別コードを付与して、制御部２４に出力するものである。
これにより、文字情報のニュースデータと画像情報のニュース写真等を明確に対応付けて同一画面に表示することができるものである。
【００２７】
送信部２６は、制御部２４からの指示に従って、情報表示装置３に表示スケジュール、ニュースデータ及びニュース画像データ、証券データ等を送信するものである。
【００２８】
データ蓄積部２５は、受信部２１において受信した証券データや表示スケジュール等のデータに加えて、外部データ取得部２２において取得したニュースデータ及びニュース画像データを記憶するものである。
【００２９】
ここで、サーバ２のデータ蓄積部２５に記憶されているニュースデータ及びニュース画像データについて図４を用いて説明する。図４は、データ蓄積部２５に記憶されているニュースデータ及びニュース画像データの模式説明図である。
図４に示すように、データ蓄積部２５においては、同一の識別コードが付与されたニュースデータとニュース画像データとを対応付けて記憶しており、配信時には、当該識別コードと、ニュースデータと、ニュース画像データとが組として読み出されて配信されるようになっている。尚、請求項において記載した「共通のコード」は、「同一の識別コード」に相当するものである。
【００３０】
次に、サーバ２のデータ蓄積部２５に記憶されている画面フォーマットを指定するデータ（画面フォーマット指定データ）について図５を用いて説明する。図５は、データ蓄積部２５に記憶されている画面フォーマット指定データの模式説明図である。
第１のシステムでは、予め入力装置１から、情報の種類毎に１つ又は複数作成された画面フォーマットが送信されてサーバ２のデータ蓄積部２５内に記憶されており、更に画面フォーマットは各情報表示装置３に予め配信されている。そして、図５に示すように、画面フォーマットを指定するデータは、どの情報をどの画面フォーマットにて表示するかを、入力装置１からの指示に従って規定しているものである。
【００３１】
図５の例では、「金利１」は画面フォーマットＡ、「ニュース」は画面フォーマットＤにて表示するようになっている。また、入力装置１において、ユーザのニーズや好みに応じて表示フォーマットを任意に選択して設定し直してサーバ２に送信したり、新たな画面フォーマットを作成することも可能である。そして、画面フォーマット指定データは、サーバ２からのデータの配信前又はデータと共に各情報表示装置３に配信されるようになっている。
【００３２】
また、第１のシステムでは、情報表示装置３毎の表示スケジュールもデータの配信前に各情報表示装置３に送信されるようになっている。
【００３３】
制御部２４は、データ蓄積部２５に記憶されているデータが更新された場合に、全ての情報表示装置３に更新されたデータを配信する制御を行うものである。具体的には、制御部２４は、受信部２１又は外部データ取得部２２から入力されたデータをデータ蓄積部２５に蓄積する際に、データが更新されていれば、当該データをデータ蓄積部２５に記憶すると共に、必要であればデータ蓄積部２５から画面フォーマット指定データを読み出してデータに付与して、送信部２６に出力するものである。
【００３４】
特に、第１のシステムの特徴として、制御部２４は、ニュースデータとそれに関連するニュース画像データを送信する際には、データ蓄積部２５にて予め対応付けられて記憶されている識別コードを付与して送信部２６に出力するものである。
【００３５】
次に、情報表示装置３について図６を用いて説明する。図６は、情報表示装置３の構成ブロック図である。
図６に示すように、情報表示装置３は、サーバ２からデータを受信する受信部３１と、受信したデータを蓄積記憶する蓄積部３２と、表示制御を行う表示制御部３３と、表示スケジュールを解析して表示制御部３３に読み出しデータを指示する表示スケジュール解析部３４と、データを表示する表示部３５とから構成されている。
【００３６】
蓄積部３２は、受信したデータを記憶するものであり、具体的には、当該表示装置の表示スケジュールや画面フォーマットの他、証券データ、ニュースデータ、ニュース画像データ等を記憶するものである。
【００３７】
ここで、情報表示装置３の蓄積部３２に記憶されているニュースデータ及びニュース画像データについて図７を用いて説明する。図７は、蓄積部３２に記憶されているニュースデータ及びニュース画像データの模式説明図である。
図７に示すように、蓄積部３２は、サーバ２から送信されたデータに基づいてニュース情報を記憶しており、番号と、識別コードと、それに対応するニュースデータと、ニュース画像データと、更に画面フォーマット指定データとを記憶している。
【００３８】
そして、ニュースを表示する際には、表示スケジュール解析部３４が表示制御部３３に対して「ニュース」を指定すると、表示制御部３３が、蓄積部３２から順次ニュースデータ及びそれに対応するニュース画像データを読み出して、指定された画面フォーマットに従って表示画面データを作成し、表示部３５にニュース画面を表示させるようになっている。
【００３９】
表示スケジュール解析部３４は、蓄積部３２に記憶されている表示スケジュールを読み込んで、内部のリアルタイムクロックを参照し、番組切替の時刻になった場合に、表示制御部３３に対して、これから表示すべき番組（データ）を指示するものである。
【００４０】
表示制御部３３は、表示スケジュール解析部３４からの指示に従って蓄積部４２からデータを読み出して表示画面データを作成して、表示部３５に出力するものである。
このとき、表示制御部３３は、データと共に受信し記憶されている画面フォーマット指定データに従って画面フォーマットを特定し、当該画面フォーマットデータと文字データや画像データとを合成して表示画面データを作成するようにしている。
【００４１】
特に、ニュース情報を表示する際には、表示制御部３３は、同一の識別コードが付与されているニュースデータとニュース画像データを組として、指定されている画面フォーマットに従って、ニュースとそれに関連する画像を組み合わせてニュース画面データを作成して表示する。
【００４２】
具体的には、表示制御部３３は、画面フォーマットで規定された画面上の特定のエリアに、ニュースデータに基づいて文字情報のニュースを表示し、別の特定のエリアに、当該ニュースデータに対応するニュース画像データに基づいてニュース画像を表示する。これにより、ニュースとそれに関連するニュース画像とを一画面に表示することができるものである。
【００４３】
次に、第１のシステムの動作について図１〜図４を用いて説明する。
第１のシステムでは、従来と同様に、外部回線から外部端末４にて株価等の証券情報を受信し、サーバ２に送信する。また、入力装置１では、サーバ２における外部データの取得条件や、各情報表示装置３毎の表示スケジュールや、各情報毎の画面フォーマットを入力して、サーバ２に送信する。
【００４４】
サーバ２では、外部端末４及び入力装置１から送信されたデータを受信部２１にて受信すると、制御部２４は、外部データの取得条件をパラメータ記憶部２３に記憶し、その他のデータをデータ蓄積部２５に記憶する。
【００４５】
サーバ２の制御部２４は、例えばその日の最初の送信時に、表示スケジュール及び画面フォーマットのデータ及び情報の種類毎の画面フォーマット指定データを全ての情報表示装置３に送信しておく。これにより、各情報表示装置３は、画面フォーマット及び自己の表示スケジュールを記憶しておき、これらに基づいて表示制御を行うことが可能となり、サーバ２の処理を軽減できるものである。
【００４６】
そして、サーバ２の外部データ取得部２２は、パラメータ記憶部２３に記憶されている外部データの取得時刻になると、インターネットを介して特定のＵＲＬに接続し、取得条件に従ってニュースデータ及びニュース画像データを取得する。
【００４７】
ここで、外部データ取得部２２は、定期的にニュースデータ及びニュース画像データの取得を試みるが、ＵＲＬにおいてデータが更新されていない場合にはデータの取得は行わず、データが更新されている場合のみニュースデータ及びニュース画像データを取得するようになっている。
尚、上述したように、ニュースデータはニュース画像データに付随した「キャプション」であり、ニュースデータとニュース画像データとは予め関連したものとして対応付けられているものである。
【００４８】
そして、第１のシステムの特徴として、外部データ取得部２２が、ニュースデータとそれに関連するニュース画像データとに同一の識別コードを付与して対応付けを明確にし、ニュースデータ及びニュース画像データを制御部２４に出力する。制御部２４は、ニュースデータ及びニュース画像データを図４に示したようにデータ蓄積部２５に記憶する。
【００４９】
制御部２４は、データ蓄積部２５への蓄積情報をチェックして、更新されたデータがある場合には当該データを読み出して、全ての情報表示装置３宛として送信部２６に出力する。尚、画面フォーマット指定データは一括して配信せずに、データ配信時に付与して配信してもよい。
【００５０】
そして、送信部２６は、全ての情報表示装置３宛に送信データを送信する。このときの転送プロトコルは、ＴＣＰ／ＩＰ等を用いる。
【００５１】
情報表示装置３では、受信部３１がサーバ２から送信された表示スケジュール、表示フォーマット、証券データ、ニュースデータ及びニュース画像データを受信して蓄積部３２に蓄積記憶しておく。
【００５２】
そして、情報表示装置３の表示スケジュール解析部３４が、蓄積部３２から表示スケジュールを読み込んで、定期的に現在時刻と表示スケジュールとを比較し、表示切り替え時刻であれば、表示制御部３３に、新しく表示する番組（表示情報）のデータを読み出す指示を出力する。表示制御部３３は、指示に従って蓄積部３２からデータを読み出し、指定された画面フォーマットに従って表示画面データを作成し表示部３５に出力する。
【００５３】
第１のシステムでは、表示スケジュールは、予め入力装置１から各情報表示装置３毎に設定されてサーバ２を介して送信され、情報表示装置３の蓄積部３２に記憶されているものであり、表示すべき番組（情報）と、表示開始時刻とを規定しているものである。
【００５４】
例えば、表示スケジュールは、「９：００〜金利１」→「９：１０〜金利２」→…→「１０：００〜ニュース１」→「１０：０５〜ニュース２」→「１０：１０〜ニュース３」→…→「１０：３０〜ポスター」→…といった具合に規定されているものである。
【００５５】
ここで、第１のシステムの特徴として、表示すべき番組が「ニュース」であれば、表示制御部３３は、蓄積部３５から番号順に同一の識別コードに対応付けられたニュースデータ及びニュース画像データの組と、当該組に対応して記憶されている画面フォーマットとを読み出し、画面フォーマットにて規定されている特定のエリアに、文字のニュースデータや、それに関連する画像データをはめ込んでニュース画面を作成して表示するようになっている。
【００５６】
すなわち、第１のシステムでは、サーバ２ではデータが更新される度に更新されたデータを全ての情報表示装置３に送信し、情報表示装置３が、専用の表示スケジュールに従って受信したデータを取捨選択してスケジュールに従って表示するようになっている。
このように、個々の情報表示装置毎に表示スケジュールを管理することにより、情報表示装置を操作するユーザ独自の表示プログラムとすることができ、サーバの処理を軽減することができるものである。
【００５７】
また、第１のシステムでは、ニュース画面を作成するのは情報表示装置３であり、サーバ２は、ニュース画面を作成するのに必要なニュースデータと、ニュース画像データと、画面フォーマット及び画面フォーマット指定データを送信するようになっており、サーバ２の処理を軽減できるものである。
【００５８】
ここで、第１のシステムにおけるニュース情報の表示例について図８を用いて説明する。図８（ａ）及び（ｂ）は、第１のシステムの情報表示装置３におけるニュース情報の表示例を示す説明図である。
図８（ａ）に示すフォーマットでは、ニュース情報は、４８０ドット×６４０ドットの表示エリア上に「タイトル」「画像」「記事」の３つのエリア（領域）に分けて表示するようになっている。
【００５９】
「タイトル」は、ニュースの内容を端的に表現する文字情報であって、受信したニュースデータの一部で、予め「タイトル」として指定されている文字情報のデータを用いて表示させるものである。
【００６０】
同様に、「記事」は、ニュースデータの別の一部に基づいて表示されるものであり、ニュースの内容を説明する文字情報である。「画像」は、ニュース画像データに基づいて表示される絵や写真であり、ニュースの文字情報とそれに関連した画像とが一画面に表示されるようになっている。
【００６１】
また、第１のシステムにおける別の表示例として、図８（ｂ）に示すような４分割画面もあり、画面が４分割されて「タイトル」「見出し」「画像」「コメント」がそれぞれ画面フォーマットにて規定されたエリアに表示されるようになっている。
【００６２】
また、図８（ｂ）に示すように、画面左端に小さい四角形が表示されているが、これは第１のシステムの特徴部分であり、ニュース情報が一定時間更新されないことを示す監視記号である。監視記号は、ユーザにニュース情報が更新されていないことを警告することができるものである。
【００６３】
具体的には、情報表示装置３の表示スケジュール解析部３４が、蓄積部３２のニュース情報が更新されたかどうかを判断し、予め設定された一定時間を経過してもニュース情報が更新されない場合には、警告表示として監視記号を表示するよう表示制御部３３に指示を出力するようになっている。
【００６４】
本発明の第１の実施の形態に係る情報表示システムによれば、サーバ２の外部データ取得部２２が、入力装置１からの取得条件に従ってインターネットを介してニュースデータとそれに関連するニュース画像データとを取得して、同一の識別コードを付与して制御部２４を介して情報表示装置３に配信し、情報表示装置３が、同一の識別コードに対応するニュースデータとニュース画像データとを予め指定された画面フォーマットに従って同一画面に表示するようにしているので、文字のニュースと共に関連する画像を表示して見る人に強いインパクトを与え、ニュース内容を把握しやすくすることができる効果がある。
【００６５】
また、第１の情報表示システムによれば、情報表示装置３において、ニュース情報が一定時間更新されない場合には、警告表示として監視記号を表示するようにしているので、来店客にはわからないように、システムの異常を警告することができ、利便性を向上させることができる効果がある。
【００６６】
また、サーバから、文字情報のニュースデータのみを配信しておき、情報表示装置においてユーザがニュースデータをチェックした上で画像を表示したいニュースデータを特定すると、情報表示装置が当該ニュースデータに付与された識別コードを含む画像データ送信要求をサーバ宛に送信し、サーバが、当該画像データ送信要求を受信して、要求に含まれる識別コードが付与されたニュース画像データを読み出して、要求元の情報表示装置に送信し、情報表示装置において一画面に表示するようにしてもよい。
【００６７】
次に、本発明の第２の実施の形態に係る情報表示システム（第２のシステム）について説明する。
第２のシステムは、ニュースデータとニュース画像データとをサーバの側から対応付けて配信するのではなく、サーバがニュース画像データに検索コードを付与して記憶しておき、情報表示装置からの要求に従って、要求に応じた検索コードが付与されたニュース画像データを配信するようにしたものである。
【００６８】
第２のシステムのサーバの構成について図９を用いて説明する。図９は、第２のシステムのサーバの構成ブロック図である。
図２に示すように、第２のシステムのサーバ２′の構成は、図１に示した第１のシステムにおけるサーバ２の構成とほぼ同様であるが、外部データ取得部２２′と制御部２４′の構成及び動作が第１のシステムとは一部異なっている。
【００６９】
第２のシステムの外部データ取得部２２′は、第１のシステムの外部データ取得部２２と同様にインターネットに接続してニュースデータやニュース画像データを取得するものであるが、第２のシステムの特徴として、取得したニュース画像データに文字情報の検索コードを付与する検索コード付与手段を備えたものである。
【００７０】
検索コードは、ニュース画像データの内容を的確に表す文字情報であり、検索コード付与手段によってニュース画像データに付随するキャプションから抽出され付与されるものである。そして、外部データ取得部２２′は、ニュースデータと検索コードが付与されたニュース画像データとを制御部２４′に出力するものである。
【００７１】
制御部２４′は、外部データ取得部２２′から入力されたニュースデータと検索コードが付与されたニュース画像データをデータ蓄積部２５に記憶するものであり、また、第２のシステムの特徴として、情報表示装置３′から入力された画像データ送信要求に応じて、データ蓄積部２５を検索し、検索コードに基づいてニュース画像データを抽出し、要求元の情報表示装置３′に送信する制御を行うものである。
【００７２】
次に、第２のシステムの情報表示装置について図１０を用いて説明する。図１０は、第２のシステムの情報表示装置の構成ブロック図である。
第２のシステムの情報表示装置３′は、図６に示した第１の情報表示装置３とほぼ同様の構成であるが、表示スケジュール解析部３４′における構成及び動作が一部異なっており、また、受信部３１の代わりに送受信部３７を設け、ユーザが入力操作を行う操作部３６を設けている。
【００７３】
表示スケジュール解析部３４′は、第１のシステムと同様に表示スケジュールをに基づいて表示制御部３３に表示指示を出力するものであるが、第２のシステムの特徴として、操作部３７からキーワードと画像データ送信要求の指示が入力されると、サーバ２に対して当該キーワードを含む画像データ送信要求を送受信部３７を介して送信するものである。
【００７４】
また、表示スケジュール解析部３４′は、画像データ送信要求に応じてサーバ２から送信された画像データを受け取って表示制御部３３に出力するものである。
【００７５】
第２のシステムの動作について図９及び図１０を用いて説明する。
第２のシステムのサーバ２′は、第１のシステムのサーバ２と同様に、外部データ取得部２２′が外部データとしてインターネットからニュースデータ及びニュース画像データを取得するが、ニュースデータと、それに関連するニュース画像データとを取得すると、ニュース画像データにニュースの内容を表す文字情報の検索コードを付与して、制御部２４′に出力する。検索コードはニュース画像データに関連するニュースデータに基づいて付与される。制御部２４′は、ニュースデータと、検索コードが付与されたニュース画像データをデータ蓄積部２５に記憶する。
【００７６】
そして、ニュースデータが更新されて配信する際には、制御部２４は、データ蓄積部２５からニュースデータのみを読み出して送信部２６を介して情報表示装置３′に配信する。
【００７７】
情報表示装置３′は、第１の装置と同様に表示スケジュールに基づいて番組（情報）を表示するが、ニュース情報を表示する際には、まず、文字情報のニュースデータのみを表示する。そして、ユーザが必要に応じて文字情報に基づいてキーワードとなる文字列を入力すると、表示スケジュール解析部３４′が、当該文字列を含む画像データ送信要求を作成して、送受信部３７を介してサーバ２′に送信する。キーワードは、ニュースデータの一部分である「見出し」や「タイトル」から抽出すると容易である。
【００７８】
サーバ２′では、キーワードを含む画像データ送信要求を受信すると、制御部２４が、キーワードを含む検索コードが付与されたニュース画像データを選択して、送信部２６を介して要求元の情報表示装置３′宛に送信する。
【００７９】
情報表示装置３′では、送受信部３７にてニュース画像データを受信すると、表示スケジュール解析部３４′が表示制御部３３に受信したニュース画像データを出力し、表示制御部３３が、予め指定された画面フォーマットに従って文字情報のニュースデータと、画像情報のニュース画像データとを組み合わせてニュース画面データを作成し、同一画面に出力する。
【００８０】
第２の実施の形態に係る情報表示システムによれば、サーバ２′の外部データ取得部２２′が、ニュース画像データを取得した際に、当該ニュース画像データの内容を表す検索コードを付与して制御部２４′を介してデータ蓄積部２５に記憶し、制御部２４′が、ニュース情報の配信時にニュースデータのみを全ての情報表示装置３′に送信し、情報表示装置３′ではニュースデータを表示する際に、文字情報のニュースデータのみを表示し、ユーザによって文字情報に基づいてキーワードとなる文字列が入力されると、表示スケジュール解析部３４′が、当該文字列を含む画像データ送信要求をサーバ２′に送信し、サーバ２′が、当該画像データ送信要求中に含まれる文字列を含む検索コードが付与されたニュース画像データを読み出して、要求元の情報表示装置３′に送信し、情報表示装置３′ではニュースデータとニュース画像データとを同一画面に表示するようにしているので、サーバ２′において、ニュースデータのみを一斉に配信し、後から個々の情報表示装置３′の要求に応じて必要なニュース画像データのみを送信することができ、一斉配信時の送信データ量を削減することができる効果がある。
【００８１】
また、第２の情報表示装置及び情報表示システムによれば、ユーザは所望のニュース画像データの検索コードを知らなくても目的のニュース画像データを取り出すことができ、ニュースデータとそれに関連するニュース画像データとを一画面で表示することができる効果がある。
【００８２】
次に、本発明の第３の実施の形態に係る情報表示システム（第３のシステム）について説明する。
第３のシステムは、ニュース画面データの作成や各情報表示装置における表示スケジュールの管理をサーバによって行うようにしており、情報表示装置の構成及び処理を簡易にすることができるものである。
【００８３】
第３のシステム全体の構成は、図１に示した第１のシステムとほぼ同様であるが、サーバと情報表示装置の構成及び動作が第１のシステムとは一部異なっている。
第３のシステムにおけるサーバの構成について図１１を用いて説明する。図１１は、第３のシステムにおけるサーバの構成ブロック図である。
図１１に示すように、第３のシステムにおけるサーバ２″の構成は、第１及び第２のシステムのサーバとほぼ同様であるが、制御部２４″の構成及び動作が異なっている。また、外部データ取得部２２は第１のシステムにおける外部データ取得部２２と同様のものである。
また、データ蓄積部２５には、各情報表示装置毎の表示スケジュールが記憶されている。
【００８４】
制御部２４″は、第３のシステムの特徴として、ニュース画面作成手段を備え、外部データ取得部２２から入力されたニュースデータ及びそれに関連するニュース画像データを組み合わせて、更にデータ蓄積部２５に予め記憶されている画面フォーマット指定データに基づいた画面フォーマットでニュース画面データを作成し、データ蓄積部２５に記憶するものである。
【００８５】
第３のシステムでは、制御部２４″は、ニュース画面データだけでなく、他の情報の表示画面データも作成してデータ蓄積部２５に記憶するようになっている。
【００８６】
また、制御部２４″は、データ蓄積部２５に記憶されている各情報表示装置３″毎の表示スケジュールに基づいて、データ蓄積部２５からニュース画面データを読み出して送信部２６を介して情報表示装置３″に送信するものである。
【００８７】
次に、第３のシステムの情報表示装置の構成について図１２を用いて説明する。図１２は、第３のシステムにおける情報表示装置３″の構成ブロック図である。
図１２に示すように、情報表示装置３″は、受信部３１と、表示制御部３３と、表示部３５とから構成されており、受信部３１にて受信した情報は表示制御部３３に出力されて、逐次表示部３５に出力されて表示されるようになっている。
【００８８】
このように、第３のシステムにおいては、情報表示装置３″の構成及び動作を大いに簡略化することができるものである。
【００８９】
第３のシステムの動作について図１１及び図１２を用いて説明する。
第３のシステムのサーバ２″では、第１のシステムのサーバ２と同様に、外部データ取得部２２がインターネットからニュースデータ及びニュース画像データを取得し、同一の識別コードを付与して制御部２４″に出力する。
【００９０】
制御部２４″は、ニュースデータ及びそれに対応するニュース画像データを組み合わせて、予め設定されている画面フォーマットに従ってニュースデータとニュース画像データとが同一画面に表示されるニュース画面データを作成し、データ蓄積部２５に記憶する。
【００９１】
そして、制御部２４″は、データ蓄積部２５に記憶されている表示スケジュールと、現在時刻とを比較して、現在時刻が表示スケジュールに一致した場合には、当該表示スケジュールによって指定されている番組（表示画面データ）を読み出して、当該表示スケジュールに対応する情報表示装置３″宛に表示画面データを送信するよう送信部２６に出力する。表示スケジュールによってニュースが指定されている場合には、制御部２４″はニュース画面データを読み出して情報表示装置３″宛に送信する。
【００９２】
そして、情報表示装置３″では、サーバ２″からの表示画面データを受信すると、情報表示装置３が表示部３５に出力して受信した表示画面データを表示させる。受信した表示画面データがニュース画面データであれば、文字情報のニュースデータと画像情報のニュース画像データとが同一画面上に表示されるものである。
このようにして第３のシステムにおける動作が行われるものである。
【００９３】
本発明の第３の実施の形態に係る情報表示装置及び情報表示システムによれば、サーバ２″の制御部２４″が、外部データ取得部２２から入力されたニュースデータとそれに関連するニュース画面データとを組み合わせて、データ蓄積部２５に記憶されている画面フォーマットに従って、文字情報と画像情報とを同一画面上に表示するニュース画面データを作成してデータ蓄積部２５に記憶しておき、データ蓄積部２５に記憶された各情報表示装置３″毎の表示スケジュールに従ってニュース画面データを読み出して送信部２６から情報表示装置３″に配信し、情報表示装置３″ではニュース画面データを受信して表示するようにしているので、台数の多い情報表示装置３″の構成及び動作を大幅に簡略化することができ、コストを低減することができる効果がある。
【００９４】
また、表示スケジュールは、各情報表示装置３″毎に独立したものでも、特定のグループ毎に共通であっても、全ての情報表示装置３″で同じであっても構わない。
【００９５】
また、表示スケジュールにカレンダー機能を組み込むことにより、例えば、営業時間中には顧客向けの番組を表示して、営業日以外や営業時間外にはユーザ（支店員）向けの教育番組を表示することも可能である。
【００９６】
同様に、入力装置１から支店の周辺地図情報や、周辺散策情報等を入力することにより、支店特有の番組を表示することも可能となり、一層の顧客サービスを図ることができる効果がある。
【００９９】
【発明の効果】
本発明によれば、入力された文字データとそれに関連する画像データを通信回線を介して送信するサーバと、前記サーバから送信されたデータを前記通信回線を介して受信して表示する情報表示装置とを備えた情報表示システムであって、情報表示装置は、サーバから送信された表示スケジュールのデータと、共通のコードが付与された文字データと前記文字データに関連する画像データとを、通信回線を介して受信する受信部と、受信部で受信された表示スケジュールのデータと、共通のコードが付与された文字データと画像データとを蓄積する蓄積部と、共通のコードが付与された文字データと画像データとを一画面に表示する表示部と、入力された指示に従って、蓄積部から表示すべきデータを読み出して表示部に出力する表示制御部と、蓄積部に蓄積している表示スケジュールのデータを読み出して、表示切り替え時刻になった場合には、表示制御部に対して、表示すべきデータを表示する指示を出力する表示スケジュール解析部とを備え、サーバが、入力された画像データに、関連する文字データに基づいて検索コードを付与して記憶しておき、情報表示装置から特定の文字列が含まれる画像データ送信要求を受信すると、画像データ送信要求に応じて、文字列が含まれる検索コードが付与された画像データを読み出して情報表示装置に送信するサーバであり、情報表示装置が、表示スケジュール解析部で、蓄積部に蓄積された表示すべき文字データに関連した文字列が含まれる画像データ送信要求を前記サーバに送信し、サーバから画像データ送信要求に応じて送信された画像データを受信部で受信して、表示制御部で、文字データと受信した画像データとを表示部に一画面に表示させ、表示スケジュール解析部で、文字データ又は画像データが一定時間更新されないと判断した場合には、表示制御部に警告表示として監視記号を表示させる情報表示装置である情報表示システムとしているので、例えば文字のニュース情報とそれに関連するニュース写真とを一画面に表示することができ、見る人に強いインパクトを与えると共にニュースの内容を把握しやすくすることができ、また、サーバの処理を軽減することができ、更に、ユーザは、目的の画像データの検索コードを知らなくても、所望の文字データに関連した画像データを取り出すことができ、また、ユーザにシステムの異常を警告して、利便性を向上させることができる効果がある。
【図面の簡単な説明】
【図１】本発明の第１の実施の形態に係る情報表示システムの概略システムブロック図である。
【図２】入力装置１の構成ブロック図である。
【図３】サーバ２の構成ブロック図である。
【図４】データ蓄積部２５に記憶されているニュースデータ及びニュース画像データの模式説明図である。
【図５】データ蓄積部２５に記憶されている画面フォーマット指定データの模式説明図である。
【図６】情報表示装置３の構成ブロック図である。
【図７】蓄積部３２に記憶されているニュースデータ及びニュース画像データの模式説明図である。
【図８】（ａ）及び（ｂ）は、第１のシステムの情報表示装置３におけるニュース情報の表示例を示す説明図である。
【図９】サーバの構成ブロック図である。
【図１０】第２のシステムの情報表示装置の構成ブロック図である。
【図１１】第３のシステムにおけるサーバの構成ブロック図である。
【図１２】第３のシステムにおける情報表示装置３″の構成ブロック図である。
【図１３】従来の情報表示システムの概略システムブロック図である。
【符号の説明】
１…入力装置、  ２…サーバ、  ３…情報表示装置、  ４…外部端末、  １１…入力部、  １２…編集部、  １３…送信部、  ２１…受信部、  ２２…外部データ取得部、  ２３…パラメータ記憶部、  ２４…制御部、  ２５…データ蓄積部、  ２６…送信部、  ３１…受信部、  ３２…蓄積部、  ３３…表示制御部、３４…表示スケジュール解析部、  ３５…表示部、  ３６…操作部、  ３７…送受信部、  ５１…入力装置、  ５２…サーバ、  ５３…情報表示装置、  ５４…外部端末
【図１】
0004927248.tif 000002
【図２】
0004927248.tif 000003
【図３】
0004927248.tif 000004
【図４】
0004927248.tif 000005
【図５】
0004927248.tif 000006
【図６】
0004927248.tif 000007
【図７】
0004927248.tif 000008
【図８】
0004927248.tif 000009
【図９】
0004927248.tif 000010
【図１０】
0004927248.tif 000011
【図１１】
0004927248.tif 000012
【図１２】
0004927248.tif 000013
【図１３】
0004927248.tif 000014